(57)【特許請求の範囲】
【請求項１】
上部が屋根板に取り付けられる吊りボルトと、該吊りボルトの下部に連結され、軒樋を吊り下げ支持する樋支持具本体とを備え、前記吊りボルトの上部を前記屋根板に設けた孔に挿通して、前記吊りボルトと、前記屋根板の上下に配する一組のナットとの螺合により前記屋根板に固定されるようにした軒樋吊具であって、
前記一組のナット間には、前記屋根板の上下において、それぞれのナットに対応して楔材が配されるようになっており、
前記楔材は、上下いずれかの面を傾斜面とした盤状体とされ、該盤状体には、前記傾斜面の低部側の側部にボルト挿入口を有し、上下に貫通したスライド孔が形成されていることを特徴とする軒樋吊具。
【請求項２】
軒樋を吊り下げ支持する、連結孔を有した樋支持具本体と、上部が屋根板に取り付けられる吊りボルトとを備え、該吊りボルトの下部を前記連結孔に挿通して、前記吊りボルトと、前記樋支持具本体の上下に配する一組のナットとの螺合により前記樋支持具本体を固定するようにした軒樋吊具であって、
前記一組のナット間には、前記樋支持具本体の上下において、それぞれのナットに対応して楔材が配されるようになっており、
前記楔材は、上下いずれかの面を傾斜面とした盤状体とされ、該盤状体には、前記傾斜面の低部側の側部にボルト挿入口を有し、上下に貫通したスライド孔が形成されていることを特徴とする軒樋吊具。
【請求項３】
請求項１または２において、
前記楔材は、前記傾斜面が向かい合って配されるようになっており、前記傾斜面には滑り止め用の凹凸が形成されている、軒樋吊具。
【発明の詳細な説明】
【技術分野】
【０００１】
本発明は、折板屋根に吊り下げるように取り付ける軒樋吊具に関する。
【背景技術】
【０００２】
図６に示すように、従来のこの種の軒樋吊具１１０は、樋支持具本体１１２を吊り下げるための吊りボルト１１１は、折板屋根の屋根板１０１の軒棟間の傾斜により鉛直下方には垂下せず、傾斜した状態で吊り下がり、そのため樋支持具本体１１２は前耳係止部１１２ａが後耳係止部１１２ｂよりも下がった状態となる。このように樋支持具本体１１２が前耳係止部１１２ａ側に降下傾斜していれば、それに取り付ける軒樋１０２も底部１０２ｂが前耳１０２ａ側に降下傾斜した状態となる。
【０００３】
このように、軒樋１０２の底部１０２ｂが前方に傾斜していれば、竪樋（不図示）の接続位置によっては軒樋１０２から竪樋への雨水の流れが滞るおそれがある。そのため従来では、樋支持具本体を水平状態に維持できるような補正手段を有した軒樋吊具が種々提案されている（たとえば、特許文献１参照）。
【０００４】
特許文献１のものは、上下の一方の面が傾斜面となった、軸孔を有した楔材（楔ワッシャー）を、折板屋根の屋根板または樋支持具本体の上下のナットに対応させて取り付ける構成となっており、その楔材の傾斜角度によって樋支持具本体を水平に補正できるようになっている。屋根は傾斜の程度が種々あるから、傾斜角度の異なる複数の楔材を準備し、現場で楔材を取り替えしながら調整するようにすればよい。
【先行技術文献】
【特許文献】
【０００５】
【特許文献１】特開２００１−４９８１３号公報
【発明の概要】
【発明が解決しようとする課題】
【０００６】
しかしながら上記文献のものでは、楔材はナットなどと同様、吊りボルトを軸孔に通して取り付けるものであるため、しかも一組のナットに挟まれた位置に取り付けるようになっているため、いったん取り付けたのちに角度調整などのために取り外す作業はきわめて面倒である。また、吊りボルトの固定作業は、それを挿通させる対象が屋根板、一組のナット、一組の楔材のほかに座金やパッキンなど数多くあり、しかも高所での作業であるため、そもそも面倒な作業であったし、取り付け順の誤りが発生することもあった。
【０００７】
本発明は、このような事情を考慮して提案されたもので、その目的は、樋支持具本体を水平に設置するための作業を簡易、迅速にできる軒樋吊具を提供することにある。
【課題を解決するための手段】
【０００８】
上記目的を達成するために、請求項１に記載の軒樋吊具は、上部が屋根板に取り付けられる吊りボルトと、吊りボルトの下部に連結され、軒樋を吊り下げ支持する樋支持具本体とを備え、吊りボルトの上部を屋根板に設けた孔に挿通して、吊りボルトと、屋根板の上下に配する一組のナットとの螺合により屋根板に固定されるようにした軒樋吊具であって、一組のナット間には、屋根板の上下において、それぞれのナットに対応して楔材が配されるようになっており、楔材は、上下いずれかの面を傾斜面とした盤状体とされ、盤状体には、傾斜面の低部側の側部にボルト挿入口を有し、上下に貫通したスライド孔が形成されていることを特徴とする。
【０００９】
請求項２に記載の軒樋吊具は、軒樋を吊り下げ支持する、連結孔を有した樋支持具本体と、上部が屋根板に取り付けられる吊りボルトとを備え、吊りボルトの下部を連結孔に挿通して、吊りボルトと、樋支持具本体の上下に配する一組のナットとの螺合により樋支持具本体を固定するようにした軒樋吊具であって、一組のナット間には、樋支持具本体の上下において、それぞれのナットに対応して楔材が配されるようになっており、楔材は、上下いずれかの面を傾斜面とした盤状体とされ、盤状体には、傾斜面の低部側の側部にボルト挿入口を有し、上下に貫通したスライド孔が形成されていることを特徴とする。
【００１０】
請求項３に記載の軒樋吊具は、楔材は傾斜面が向かい合って配されるようになっており、傾斜面には滑り止め用の凹凸が形成されている。
【発明の効果】
【００１１】
請求項１、２に記載の軒樋吊具によれば、上述の構成となっているため、楔材を吊りボルトに対して横方向よりスライド装着できる。そのため、取り付け順を気にせずに取り付けることができ、樋支持具本体を水平に設置するための作業を簡易、迅速に行うことができる。
【００１２】
特に、請求項１に記載の軒樋吊具によれば、吊りボルトを鉛直方向に吊り下げることができるため、すっきりとした美感にすることができる。また、請求項２に記載の軒樋吊具によれば、楔材の取付作業は屋根よりも少し低い位置でなされるため、楽に作業をすることができる。
【００１３】
請求項３に記載の軒樋吊具によれば、楔材の傾斜面に滑り止め用の凹凸が形成され、その傾斜面がたとえば屋根面などに接触するように取り付けられるため、ナットで締め付けたときの楔材の供回りや作業途中での抜け、外れを防止することができる。
【図面の簡単な説明】
【００１４】
【図１】本発明の第１実施形態に係る軒樋吊具の一例を示す分解説明図である。
【図２】（ａ）は同軒樋吊具の楔材の一例を示す斜視図、（ｂ）は平面図である。
【図３】（ａ）は同軒樋吊具の楔材の他の例を示す斜視図、（ｂ）は同平面図である。
【図４】同軒樋吊具の取付状態を示す正面図である。
【図５】本発明の第２実施形態に係る軒樋吊具の取付状態を示す正面図である。
【図６】従来の軒樋吊具の取付状態を示す正面図である。
【発明を実施するための形態】
【００１５】
以下に、本発明の実施の形態について、添付図面を参照しながら説明する。以下に示す軒樋吊具１０は、たとえば折板屋根の山部などに取り付けられるようになっている。
【００１６】
まず、図１〜図４を参照しながら、第１実施形態に係る軒樋吊具について説明する。
【００１７】
この軒樋吊具１０は、上部が屋根板１に取り付けられる吊りボルト１１と、その吊りボルト１１の下部に連結され、軒樋２を吊り下げ支持する樋支持具本体１２とを備え、吊りボルト１１の上部を屋根板１に設けた孔１ａに挿通して、吊りボルト１１と、屋根板１の上下に配する一組のナット３１、３１との螺合により屋根板１に固定されるように構成されている。
【００１８】
上記一組のナット３１、３１間には、屋根板１の上下において、それぞれのナット３１、３１に対応して楔材２０、２０が配されるようになっている。楔材２０は、上下いずれかの面を傾斜面２１とした盤状体とされ、その盤状体には、傾斜面２１の低部側の側部にボルト挿入口２２ａを有し、上下に貫通したスライド孔２２が形成されている。
【００１９】
以下、よりくわしく説明する。
【００２０】
吊りボルト１１は、軒樋２を吊り下げ支持する樋支持具本体１２を連結して吊り下げ支持する部材であり、全長にわたって雄ネジが形成されている。この吊りボルト１１は、上部が一組のナット３１、３１との螺合により屋根板１に固定され、下部が他の一組のナット３６、３６によって樋支持具本体１２を連結するようになっている。
【００２１】
樋支持具本体１２は、吊りボルト１１が挿通される連結孔１２ｂを板状の本体部１２ａのほぼ中央に有している。本体部１２ａの前後には軒樋２の前耳２ａ、後耳２ｂを係止する前耳係止部１２ｃ、後耳係止部１２ｄを有している。なお、連結孔１２ｂは位置調整できるように長孔であってもよい。一組のナット３６、３６は、樋支持具本体１２の本体部１２ａを挟着するように、連結孔１２ｂに挿通した吊りボルト１１の上下に螺着され、締め付けられることで樋支持具本体１２を固定する。
【００２２】
吊りボルト１１の上部では、屋根板１の下面側において、吊りボルト１１に対して、上から順にワッシャー３４、楔材２０、ナット３１が挿通され、吊りボルト１１の上部では、屋根板１の上面側において、屋根板１の孔１ａに挿通され上方に突出した吊りボルト１１に対して、下から順に、円盤状のパッキン３３、そのパッキン３３を覆う椀形状の座金３２、楔材２０、ナット３１が挿通される。なお、後述するように楔材２０がワッシャー３４としても作用すれば、ワッシャー３４を取り付けなくてもよい。
【００２３】
これらのうち屋根板１の上下に配する一組の楔材２０、２０は、上下の一方面を傾斜面２１とした盤状体（図例のものは円盤体）よりなる。なお、上下一組の楔材２０、２０は同一形状のものを、上方のものは傾斜面２１を下方に向け、下方のものは傾斜面２１を上方に向けて使用すればよいが、逆向きでもかまわない。
【００２４】
この楔材２０は金属または硬質の合成樹脂より構成されている。なお、楔材２０は傾斜を調整する部材であるため変形しない硬質のものが望ましいが、柔軟な材料で成形され、種々の傾斜角度に対応できるようにしてもよい。
【００２５】
楔材２０の傾斜面２１には、滑り止め用の微小な凹凸２１ａが形成されている。また、楔材２０には吊りボルト１１が挿通される挿通孔が形成されている。この挿通孔は、図２（ａ）に示すように長孔で構成されている。その長孔は吊りボルト１１を横方向から挿入、装着するためのスライド孔２２を構成し、低部側の側部にはボルト挿入口２２ａを有し、そのボルト挿入口２２ａに連なる挿通路２２ｂと、中央の軸孔２２ｃとより構成されている。
【００２６】
また、この挿通路２２ｂは、吊りボルト１１を挿入しやすくするために中央からボルト挿入口２２ａに向けて幅寸法が広がるように形成されている。軸孔２２ｃへの入り口である、挿通路２２ｂが最もすぼんだ部分には、吊りボルト１１の軸孔２２ｃに対する出入りにおいて軸部がわずかに引っ掛かるように、向き合うように相互に突出したネック部２２ｄが形成されている。
【００２７】
このように、楔材２０はナット３１などの他の挿通部材とは異なり、吊りボルト１１に対して横方向からスライドさせて取り付けられるようになっている。
【００２８】
まず楔材２０以外の部材を吊りボルト１１に挿通させ仮止めしておき、その後、楔材２０、２０を図４中の矢印方向よりスライドさせて吊りボルト１１に装着し、さらにその後、上下のナット３１、３１を締め付けることで、図４に示すような取付状態にすることができる。なお、楔材２０、２０はスライド装着できる構成であるため、後付けでなくてもよく、取り付け順を気にせずに装着しやすい状況になったときに装着すればよい。
【００２９】
このように、屋根板１の上下のそれぞれにおいて、楔材２０、２０をナット３１、３１間に挟まれるように取り付けるので、楔材２０を、その低部側（ボルト挿入口２２ａ側）を折板屋根の棟側（図４中の左側）に配するように取り付ければ、楔材２０の傾斜によって屋根板１による傾斜が補正され、吊りボルト１１を鉛直方向に垂下させることができるとともに、樋支持具本体１２を水平状態に保持することができる。樋支持具本体１２を水平状態に設置できるので、軒樋２を底部２ｃが前後方向において傾斜することなく設置することができる。また、吊りボルト１１が鉛直方向に配せられ、かつ樋支持具本体１２が水平方向に配せられるので、図４に示したように美感もよい。
【００３０】
全部材を取り付けたのち、楔材２０の傾斜角度と屋根板１の傾斜角度が一致せず、楔材２０を装着しても樋支持具本体１２が水平にならなかった場合は、傾斜角度の異なる他の楔材２０に取り替えて、水平になるように調整すればよい。
【００３１】
楔材２０、２０は、吊りボルト１１に屋根板１やナット３１、３１、座金３２などを装着したのちでもスライド操作によって装着できるようになっているので、楔材２０の取り替え作業を簡単に行うことができ、樋支持具本体１２の水平調整を迅速に行うことができる。
【００３２】
また、楔材２０の傾斜面２１には微小な凹凸２１ａが形成されているので、下部の楔材２０の傾斜面２１がワッシャー３４（または屋根板１の下面）に接触し、上部の楔材２０の傾斜面２１が座金３２の上面に接触することで楔材２０は滑りにくくなる。そのため、ナット３１の螺合作業の際の楔材２０の供回りや抜け、外れを防止することができる。なお、凹凸面を有した楔材２０はその凹凸２１ａによってワッシャーとしても作用するため、上述したようにワッシャー３４は用いなくてもよい。
【００３３】
また、楔材２０のスライド孔２２にはネック部２２ｄが形成してあるので、取付作業の際や施工後に楔材２０の抜け、外れが発生することを防止することができる。ネック部２２ｄは吊りボルト１１の軸部の挿入をわずかに塞ぐように形成されていることが望ましい。そうすれば、取り付けの際はわずかな力で楔材２０を押し込めば吊りボルト１１を軸孔２２ｃに入れることができ、取り外しの際もわずかな力で楔材２０を引っ張れば吊りボルト１１を軸孔２２ｃより取り外すことができる。このようにわずかに引っ掛かる程度のネック部２２ｄが形成してあれば、楔材２０をいったん吊りボルト１１に装着すれば引っ張らないかぎりは外れるおそれはなく、そのため仮止め状態で放置することができ、作業をしやすくすることができる。
【００３４】
なお、楔材２０は傾斜を調整するものであるから上述したように変形しない硬質材料で形成されることが望ましいが、少しの誤差が許容されるのであれば、容易に変形する弾性あるいは弾力性を有した材料で形成したものであってもよい。たとえば、軟質の合成樹脂やゴムなどを材料としてもよい。また、図３に示すように、金属板で成形して弾性を持たせた楔材２０であってもよい。
【００３５】
図３に示した楔材２０は、一方面が傾斜するように所定の角度で折り曲げ形成されており、傾斜面２１を構成する上の板片２４にはスライド孔２２が形成され、下の板片２４にも上のスライド孔２２と重なる同形状のスライド孔２２が形成されている。なお、スライド孔２２の形状については図２のものと同様であるため、同一の符号を付してその説明は省略する。
【００３６】
この楔材２０は２板片２４、２４により弾性を有しているため、弾性力に抗してナット３１、３１を締め付ければ、その復元力によりナット３１、３１間にしっかりと装着させることができる。傾斜角度のやや大きめの楔材２０を用いれば、ナット３１、３１の締め方を加減することで、楔材２０の傾斜角度を屋根板１の種々の傾斜に合わせることもできる。また、ばね性を有しているので傾斜面２１に凹凸２１ａを設ける必要はなく、またワッシャー３４も必要としない。
【００３７】
ついで、第２実施形態に係る軒樋吊具について説明する。
【００３８】
この軒樋吊具１０は、軒樋２を吊り下げ支持する、連結孔１２ｂを有した樋支持具本体１２と、上部が屋根板１に取り付けられる吊りボルト１１とを備え、吊りボルト１１の下部を連結孔１２ｂに挿通して、吊りボルト１１と、樋支持具本体１２の上下に配する一組のナット３６、３６との螺合により樋支持具本体１２を固定するように構成されている。
【００３９】
上記一組のナット３６、３６間には、樋支持具本体１２の上下において、それぞれのナット３６、３６に対応して楔材２０、２０が配されるようになっている。楔材２０は、上下いずれかの面を傾斜面２１とした盤状体とされ、盤状体には、傾斜面２１の低部側の側部にボルト挿入口２２ａを有し、上下に貫通したスライド孔２２が形成されている。
【００４０】
すなわち、本実施形態に係る軒樋吊具１０も、図１に示したものと同様に、一組のナット３６、３６のそれぞれに対応した楔材２０、２０が用いられる。楔材２０としては図１の実施形態のものと同様のものを用いればよい。この軒樋吊具１０は図１のものと同じ部材で構成されているため、同一の符号を付して、その説明は省略する。
【００４１】
本実施形態では、屋根板１側には楔材２０は取り付けられず、図５に示すように、吊りボルト１１の上部では、屋根板１の下面側において、吊りボルト１１に対して、上から順にワッシャー３４、ナット３１が挿通され、吊りボルト１１の上部では、屋根板１の上面側において、屋根板１の孔１ａに挿通され突出した吊りボルト１１に対して、下から順に、円盤状のパッキン３３、そのパッキン３３を覆う座金３２、ナット３１が挿通され、固定されるようになっている。
【００４２】
楔材２０は、上述したように樋支持具本体１２の上下に取り付けられる。具体的には、楔材２０は本体部１２ａの上下面のそれぞれに傾斜面２１が接するように取り付けられ、それらを挟むように一組のナット３６、３６が取り付けられ、ナット３６、３６の締め付けによって固定される。第１実施形態と同様に、楔材２０は横方向からのスライド操作にて吊りボルト１１に装着することができる。
【００４３】
この軒樋吊具１０によれば、第１実施形態に係る軒樋吊具１０と同様に、楔材２０の取り替え作業を簡単に行うことができ、樋支持具本体１２の水平調整を迅速に行うことができる。
【００４４】
また、この軒樋吊具１０によれば、楔材２０を樋支持具本体１２側に取り付けるようになっているため、屋根よりもやや低い位置で楔材２０の取付作業ができ、そのため軒樋吊具１０の取付作業を迅速、安全に行うことができる。
【００４５】
上述した２つの実施形態では、取付状態において、楔材２０、２０が傾斜面２１、２１同士が向かい合うように配してあるが、そうでなくてもよい。
【符号の説明】
【００４６】
１０          軒樋吊具
１１          吊りボルト
１２          樋支持具本体
２０          楔材
２１          傾斜面
２１ａ        凹凸
２２          スライド孔
２２ａ        ボルト挿入口
２２ｂ        挿通路
２２ｃ        軸孔
２２ｄ        ネック部
３１          ナット（屋根板側）
３６          ナット（樋支持具本体側）
１            屋根板
１ａ          孔
【要約】
【課題】樋支持具本体を水平に設置するための作業を簡易、迅速にできる軒樋吊具を提供する。
【解決手段】軒樋吊具１０は、吊りボルト１１の上部を屋根板１に設けた孔１ａに挿通して、吊りボルト１１と、屋根板１の上下に配する一組のナット３１、３１との螺合により屋根板１に固定されるようになっている。一組のナット３１、３１間には、屋根板１の上下において、それぞれのナット３１、３１に対応して楔材２０、２０が配されるようになっており、楔材２０は、上下いずれかの面を傾斜面２１とした盤状体とされ、盤状体には、傾斜面２１の低部側の側部にボルト挿入口２２ａを有し、上下に貫通したスライド孔２２が形成されている。
【選択図】図１【図１】
0005728607.tif 000002
【図２】
0005728607.tif 000003
【図３】
0005728607.tif 000004
【図４】
0005728607.tif 000005
【図５】
0005728607.tif 000006
【図６】
0005728607.tif 000007